(57)【要約】【課題】デジタル認証システムを提供する。【解決手段】信号識別モジュール、ディスプレイ及び信号返信ユニットを含む認証装置と、少なくとも１つの位置決め用の位置情報、少なくとも１つの認証許可情報及び少なくとも１つの時間情報を含む認証モジュールと、位置決め用の位置情報と時間情報を認証装置に伝送するように配置される通信モジュールと、を含む中央コンピュータ装置と、を備え、認証装置は、位置決め用の位置情報と時間情報に基づいて信号識別モジュールを起動させるように配置され、起動された信号識別モジュールが外部認証信号を受信すると、ディスプレイは認証結果を表示し、且つ信号返信ユニットは、認証許可を中央コンピュータ装置に返信するデジタル認証システム。【選択図】図４
2019028977.tif 000002
【特許請求の範囲】
【請求項１】
信号識別モジュール、ディスプレイ及び信号返信ユニットを含む認証装置と、
少なくとも１つの位置決め用の位置情報、少なくとも１つの認証許可情報及び少なくとも１つの時間情報を含む認証モジュールと、前記位置決め用の位置情報と前記時間情報を前記認証装置に伝送するように配置される通信モジュールと、を含む中央コンピュータ装置と、
を備え、
前記認証装置は、前記位置決め用の位置情報と前記時間情報に基づいて前記信号識別モジュールを起動させるように配置され、
起動された前記信号識別モジュールが外部認証信号を受信すると、前記ディスプレイは認証結果を表示し、且つ前記信号返信ユニットは、認証許可を前記中央コンピュータ装置に返信するデジタル認証システム。
【請求項２】
前記認証モジュールは、検証要求の受信に基づいて第１のタイミング時間を出力するように配置されるタイミングユニットを含み、前記第１のタイミング時間が前記時間情報に合致すると、前記認証装置は前記信号識別モジュールを起動させる請求項１に記載のデジタル認証システム。
【請求項３】
前記タイミングユニットは、さらに、別の検証要求の受信に基づいて第２のタイミング時間を出力するように配置され、前記第２のタイミング時間が前記時間情報に合致すると、前記信号返信ユニットは前記認証許可を前記中央コンピュータ装置に返信する請求項２に記載のデジタル認証システム。
【請求項４】
前記認証モジュールは、検証要求の受信に基づいて第１の位置情報を出力するように配置される位置決めユニットを含み、前記第１の位置情報が前記位置決め用の位置情報に合致すると、前記認証装置は、前記信号識別モジュールを起動させる請求項１〜３の何れか１項に記載のデジタル認証システム。
【請求項５】
前記位置決めユニットは、さらに、別の検証要求の受信に基づいて第２の位置情報を出力するように配置され、前記第２の位置情報が前記位置決め用の位置情報に合致すると、前記信号返信ユニットは、前記認証許可を前記中央コンピュータ装置に返信する請求項４に記載のデジタル認証システム。
【請求項６】
前記信号識別モジュールは、タッチパネルを含み、前記タッチパネルの受信した前記外部認証信号が順序クリック信号と位置クリック信号を含む場合、前記信号返信ユニットは、前記順序クリック信号と前記位置クリック信号を前記中央コンピュータ装置に返信する請求項１〜５の何れか１項に記載のデジタル認証システム。
【請求項７】
前記順序クリック信号と前記位置クリック信号が前記認証許可情報に合致すると、前記中央コンピュータ装置は、認証確認信号を前記認証装置に伝送し、且つ前記ディスプレイに表示される前記認証結果が認証成功結果である請求項６に記載のデジタル認証システム。
【請求項８】
前記信号識別モジュールは、光信号受信モジュールを含み、前記光信号受信モジュールの受信した前記外部認証信号が順序明暗信号及び／又は順序色光信号を含む場合、前記信号返信ユニットは対応して前記順序明暗信号及び／又は前記順序色光信号を前記中央コンピュータ装置に返信する請求項１〜５の何れか１項に記載のデジタル認証システム。
【請求項９】
前記順序明暗信号及び／又は前記順序色光信号が前記認証許可情報に合致すると、前記中央コンピュータ装置は、認証確認信号を前記認証装置に伝送し、且つ前記ディスプレイに表示される前記認証結果が認証成功結果である請求項８に記載のデジタル認証システム。
【請求項１０】
前記認証装置は、前記通信モジュールにより伝送された前記認証許可情報を受信し記憶するように配置される認証ルールメモリユニットを含む請求項１〜９の何れか１項に記載のデジタル認証システム。
【請求項１１】
前記信号識別モジュールは、認証プロセッサーを含み、前記認証装置が前記外部認証信号を受信し、且つ前記認証プロセッサーにより、前記外部認証信号が前記認証許可情報に合致すると比較する場合、前記ディスプレイに表示される前記認証結果が認証成功結果であり、且つ前記信号返信ユニットに返信される前記認証許可が認証成功許可である請求項１０に記載のデジタル認証システム。
【発明の詳細な説明】
【技術分野】
【０００１】
本発明は、デジタル認証システムに関する。
【背景技術】
【０００２】
現在、従来の印章を使用する場合には、効果的に管理し記録することができないため、殆どのユーザがフォームによって簡単な登録をし、又はチャプター承認請求書によって簡単な管理をする。従来の印章そのものの使用履歴が記録不可能で、手動的な記録又は承認管理だけでは利用する度に効果的に管理又は記録することができないため、印章の使用管理が混乱し、ユーザに潜在的なトラブルをもたらした。業務の都合により印鑑を持ち出す必要がある企業もあり、遠距離管理ができず、責任者が同行しなければならないので、持ち出しが非常に不便である。
【０００３】
近年、主に印章作成、印刷に焦点を当てた電子印鑑を提案した企業や機関もあるが、印刷機械とその制御部分が複雑すぎるため、機能は従来の印章より優れているが、携帯性、実用性、経済性を失い、その普及を進めることに不利であり、上記の実際の問題を完全に解決することもできない。
【発明の概要】
【発明が解決しようとする課題】
【０００４】
これに鑑みて、本発明の一目的は、デジタル識別ユニットの使用セキュリティを効果的に管理し記録することのできるデジタル認証システムを提供することにある。
【課題を解決するための手段】
【０００５】
上記の目的を達成するために、本発明の一実施形態によれば、デジタル認証システムは、信号識別モジュール、ディスプレイ及び信号返信ユニットを含む認証装置と、少なくとも１つの位置決め用の位置情報、少なくとも１つの認証許可情報及び少なくとも１つの時間情報を含む認証モジュールと、位置決め用の位置情報と時間情報を認証装置に伝送するように配置される通信モジュールと、を含む中央コンピュータ装置と、を備え、認証装置は、位置決め用の位置情報と時間情報に基づいて信号識別モジュールを起動させるように配置され、起動された信号識別モジュールが外部認証信号を受信すると、ディスプレイは認証結果を表示し、且つ信号返信ユニットは、認証許可を中央コンピュータ装置に返信する。
【０００６】
本発明の一つ又は複数の実施形態において、前記認証モジュールは、検証要求の受信に基づいて第１のタイミング時間を出力するように配置されるタイミングユニットを含み、第１のタイミング時間が時間情報に合致すると、認証装置は、信号識別モジュールを起動させる。
【０００７】
本発明の一つ又は複数の実施形態において、前記タイミングユニットは、さらに、別の検証要求の受信に基づいて第２のタイミング時間を出力するように配置され、第２のタイミング時間が時間情報に合致すると、信号返信ユニットは、認証許可を中央コンピュータ装置に返信する。
【０００８】
本発明の一つ又は複数の実施形態において、前記認証モジュールは、検証要求の受信に基づいて第１の位置情報を出力するように配置される位置決めユニットを含み、第１の位置情報が位置決め用の位置情報に合致すると、認証装置は、信号識別モジュールを起動させる。
【０００９】
本発明の一つ又は複数の実施形態において、前記位置決めユニットは、さらに、別の検証要求の受信に基づいて第２の位置情報を出力するように配置され、第２の位置情報が位置決め用の位置情報に合致すると、信号返信ユニットは、認証許可を中央コンピュータ装置に返信する。
【００１０】
本発明の一つ又は複数の実施形態において、前記信号識別モジュールは、タッチパネルを含み、タッチパネルの受信した外部認証信号が順序クリック信号と位置クリック信号を含む場合、信号返信ユニットは、順序クリック信号と位置クリック信号を中央コンピュータ装置に返信する。
【００１１】
本発明の一つ又は複数の実施形態において、順序クリック信号と位置クリック信号が認証許可情報に合致すると、中央コンピュータ装置は、認証確認信号を認証装置に伝送し、且つディスプレイに表示される認証結果が認証成功結果である。
【００１２】
本発明の一つ又は複数の実施形態において、前記信号識別モジュールは、光信号受信モジュールを含み、光信号受信モジュールの受信した外部認証信号が順序明暗信号及び／又は順序色光信号を含む場合、信号返信ユニットは対応して順序明暗信号及び／又は順序色光信号を中央コンピュータ装置に返信する。
【００１３】
本発明の一つ又は複数の実施形態において、順序明暗信号及び／又は順序色光信号が認証許可情報に合致すると、中央コンピュータ装置は、認証確認信号を認証装置に伝送し、且つディスプレイに表示される認証結果が認証成功結果である。
【００１４】
本発明の一つ又は複数の実施形態において、前記認証装置は、通信モジュールに伝送された認証許可情報を受信し記憶するように配置される認証ルールメモリユニットを含む。
【００１５】
本発明の一つ又は複数の実施形態において、前記信号識別モジュールは、認証プロセッサーを含む。認証装置が外部認証信号を受信し、且つ認証プロセッサーにより、外部認証信号が認証許可情報に合致すると比較する場合、ディスプレイに表示される認証結果が認証成功結果であり、且つ信号返信ユニットに返信される認証許可が認証成功許可である。
【発明の効果】
【００１６】
以上をまとめると、本発明のデジタル認証システムにおいて、認証装置は、検証要求を受信する時に、中央コンピュータ装置の出力した第１のタイミング時間が時間情報に合致するか、及び／又は中央コンピュータ装置の出力した第１の位置情報が位置決め用の位置情報に合致するかを確認することで、信号識別モジュールを起動させるかを判断することができる。また、認証装置は、更に外部認証信号を受信する時に、中央コンピュータ装置の出力した第２のタイミング時間が時間情報に合致するか、及び／又は中央コンピュータ装置の出力した第２の位置情報が位置決め用の位置情報に合致するかを確認することで、認証許可を中央コンピュータ装置に返信するかを判断することができる。これによって、本発明のデジタル認証システムは、時間面及び／又は場所の点でデジタル識別ユニットの使用セキュリティを効果的に管理し記録することができる。
【００１７】
上記の内容は、本発明が解决しようとする課題、課題を解决するための技術手段、及び発明の効果等を記述するためのものであり、本発明の具体的な細部については、下記の実施形態及び関連する図面において詳しく説明する。
【図面の簡単な説明】
【００１８】
下記の図面の詳細な説明は、本発明の上記又はその他の目的、特徴、利点及び実施例をより分りやすくするためのものである。
【図１】本発明の一実施形態に係るデジタル認証システム及びデジタル識別ユニットを示すブロック模式図である。
【図２】本発明の一実施形態に係るデジタル認証システムに含まれる認証装置を示すブロック模式図である。
【図３】本発明の一実施形態に係るデジタル認証システムに含まれる中央コンピュータ装置を示すブロック模式図である。
【図４】本発明の一実施形態に係るデジタル認証方法を示すフロー図である。
【図５】本発明の別の実施形態に係るデジタル認証方法を示すフロー図である。
【発明を実施するための形態】
【００１９】
以下、図面で本発明の複数の実施形態を説明する。明らかに説明するために、下記で多くの実際の細部を合わせて説明する。しかしながら、理解すべきなのは、これらの実際の細部が、本発明を制限するためのものではない。つまり、本発明の実施形態の一部において、これらの実際の細部は、必ずしも必要ではない。また、図面を簡略化するために、ある従来慣用の構造及び素子については、図面において簡単で模式的に示される。
【００２０】
図１を参照すると、本発明の一実施形態に係るデジタル認証システム３００及びデジタル識別ユニット４００を示すブロック模式図である。図１に示すように、本実施形態において、デジタル認証システム３００は、認証装置１００と、中央コンピュータ装置２００と、を含む。デジタル認証システム３００は、認証装置１００及び中央コンピュータ装置２００によってデジタル識別ユニット４００の生じた外部認証信号を検証して、デジタル識別ユニット４００の使用セキュリティを確保することができる。ある実施形態において、デジタル識別ユニット４００は、スマート印章（ｓｍａｒｔ  ｓｔａｍｐ）であるが、本発明はこれに限定されない。以下、認証装置１００と中央コンピュータ装置２００の細部構造、その内部素子の機能及び互いの接続関係を詳しく説明する。
【００２１】
図２を参照すると、本発明の一実施形態に係るデジタル認証システム３００に含まれる認証装置１００を示すブロック模式図である。
【００２２】
図２に示すように、本実施形態において、認証装置１００は、処理ユニット１０１、キーボード入力ユニット１０２、画面出力ユニット１０３、タッチ入力ユニット１０４、タッチパネル１０５、音声出力ユニット１０６、音声入力ユニット１０７、光線／色温度入力ユニット１０８、近接無線通信ユニット１０９、信号返信ユニット１１０、ＮＦＣモジュール１１１、位置決めモジュール１１２、ＵＳＩＭカードリーダーユニット１１３、メモリユニット１１４、及び電力供給のための電池１１５を含む。ある実施形態において、認証装置１００は、例えば、スマートフォン、タブレットコンピュータ、ノートブックコンピュータ等の携帯式電子装置であってもよいが、本発明はこれらに限定されない。本実施形態において、タッチパネル１０５は、静電容量式のタッチパネルであるが、本発明はこれに限定されない。以下、認証装置１００の内部素子の機能及び互いの接続関係を詳しく説明する。
【００２３】
ある実施形態において、処理ユニット１０１は、認証装置１００の動作を制御する構成の総称である。処理ユニット１０１は、ハードウェアから言えば、少なくとも１つのプロセッサー及び実行メモリを含み、バス（ＢＵＳ）によって認証装置１００の各構成素子に接続される。処理ユニット１０１は、ソフトウェアプログラムから言えば、認証装置１００のメモリユニット１１４に形成されたプログラムコードをプロセッサーによって実行メモリにロードして計算し、その結果をバスによって各構成素子に伝送して認証装置１００の動作を制御し、また要求に応じて各構成素子から伝送された計算用のデータを受信する。
【００２４】
ある実施形態において、メモリユニット１１４は、認証装置１００に形成された不揮発性メモリの総称であり、処理ユニット１０１に実行された少なくとも１つのプログラムコード及びプログラムコードに利用される少なくとも１つのデータグループを記憶し維持する。メモリユニット１１４は、プログラムコードの形態で示されるアプリケーションを記憶する。アプリケーションは、駆動又は活性化に伴って、処理ユニット１０１にロードされ計算する。
【００２５】
ある実施形態において、キーボード入力ユニット１０２は、認証装置１００に形成されるキーボタン、キーホルダ、キーボードにおける１つ以上の構成素子を含んで構成される。キーボード入力ユニット１０２は、アプリケーションを駆動又は活性化させるキーボードイベントを発生することができる。或いは、キーボード入力ユニット１０２は、デジタル識別ユニット４００のタッチを行うように、タッチパネル１０５を起動させるキーボードイベントを発生することができる。ある実施形態において、認証装置１００の信号識別モジュールは、キーボード入力ユニット１０２であってもよいが、本発明はこれに限定されない。
【００２６】
ある実施形態において、画面出力ユニット１０３は、認証装置１００に形成されるディスプレイ（例えば、液晶ディスプレイ）と認証装置１００の内部でディスプレイを駆動する駆動モジュールを含んで構成される。画面出力ユニット１０３は、アプリケーションの実行画面又は認証結果を出力する。
【００２７】
ある実施形態において、タッチ入力ユニット１０４は、画面出力ユニット１０３と座標平面を共有する透明材質の静電容量式タッチパネル（静電容量式に限定されない）、及び認証装置１００の内部で静電容量式タッチパネルを駆動する駆動モジュールを含んで構成される。タッチパネル１０５は、透明材質の静電容量式タッチパネルと画面出力ユニット１０３のディスプレイを組み合わせる。ある実施形態において、認証装置１００の信号識別モジュールは、タッチパネル１０５とタッチ入力ユニット１０４からなるタッチモジュールであってもよいが、本発明はこれらに限定されない。
【００２８】
ある実施形態において、音声出力ユニット１０６は、認証装置１００に形成されるスピーカー、及び認証装置１００の内部でスピーカーを駆動する駆動モジュールを含んで構成される。音声入力ユニット１０７は、認証装置１００に形成されるマイクロフォン、及び認証装置１００の内部でマイクロフォンを駆動する駆動モジュールを含んで構成される。デジタル識別ユニット４００が音声信号に対する出力機能を有する場合、音声入力ユニット１０７が音声信号を受信し、音声信号における符号化されたデータをアプリケーションに伝送する。ある実施形態において、認証装置１００の信号識別モジュールは、音声入力ユニット１０７であってもよいが、本発明はこれに限定されない。
【００２９】
ある実施形態において、光線／色温度入力ユニット１０８は、認証装置１００に形成される感光素子、及び認証装置１００の内部で感光素子を駆動する駆動モジュールを含んで構成される。デジタル識別ユニット４００が光線／色温度信号に対する出力機能を有する場合、光線／色温度入力ユニット１０８が光線／色温度信号を受信し、光線／色温度信号における符号化されたデータをアプリケーションに伝送する。ある実施形態において、光線／色温度入力ユニット１０８は、認証装置１００に含まれるカメラモジュール（未図示）における機能性ユニットであってもよい。ある実施形態において、認証装置１００の信号識別モジュールは、光線／色温度入力ユニット１０８を含む光信号受信モジュールであってもよいが、本発明はこれに限定されない。
【００３０】
ある実施形態において、信号返信ユニット１１０及び近接無線通信ユニット１０９は、認証装置１００に形成される通信資源である。ある実施形態において、信号返信ユニット１１０は、無線ネットワークモジュールであってもよい。無線ネットワークモジュールは、基地局を介して無線通信ネットワークに接続される。近接無線通信ユニット１０９は、近距離の近接通信装置又は無線ＡＰ（Ａｃｃｅｓｓ  Ｐｏｉｎｔ）を介して通信ネットワークに接続される。ある実施形態において、近接無線通信ユニット１０９は、ブルートゥース（登録商標）（Ｂｌｕｅｔｏｏｔｈ（登録商標））技術を採用する通信ユニットであるが、本発明はこれに限定されない。
【００３１】
ある実施形態において、ＮＦＣモジュール１１１は、ＩＳＯ１８０００シリーズ規格の無線通信規格において、１３．５６Ｍｚバンドを使用するＮＦＣ規格に基づいて、１ｃｍ程度の近距離で無線周波信号を送受信する。デジタル識別ユニット４００にＮＦＣチップが形成される場合、ＮＦＣモジュール１１１は、デジタル識別ユニット４００のＮＦＣチップからの無線周波信号を受信し、ＮＦＣに基づく無線周波信号における符号化されたデータをアプリケーションに伝送することができる。
【００３２】
ある実施形態において、認証装置１００は、Ｂｅａｃｏｎモジュール（未図示）を含んでもよい。デジタル識別ユニット４００にＢｅａｃｏｎ送信機が形成される場合、Ｂｅａｃｏｎモジュールは、デジタル識別ユニット４００のＢｅａｃｏｎ送信機からの無線周波信号を受信し、Ｂｅａｃｏｎに基づく無線周波信号における符号化されたデータをアプリケーションに伝送することができる。
【００３３】
ある実施形態において、位置決めモジュール１１２は、ポジショニング認証装置１００の移動位置のＧＰＳモジュールを含んで構成される。位置決めモジュール１１２は、タッチパネル１０５でタッチされるデジタル識別ユニット４００の認証装置１００の位置に対する位置決め用の位置情報をアプリケーションに伝送することができる。
【００３４】
ある実施形態において、認証装置１００は、３軸加速度センサー、ジャイロスコープ等のセンサーを更に含んでもよく、認証装置１００の運動又は傾斜の姿勢等の情報をアプリケーションに伝送することができる。
【００３５】
ある実施形態において、デジタル識別ユニット４００内に磁気素子を含んでもよく、磁気素子の認証装置１００に対するクリック又は移動の軌跡を検知するように、認証装置１００は、磁気検知ユニットを更に含んでもよい。ある実施形態において、磁気検知ユニットは、ホールセンサーであるが、本発明はこれに限定されない。
【００３６】
図３を参照すると、本発明の一実施形態に係るデジタル認証システム３００に含まれる中央コンピュータ装置２００を示すブロック模式図である。
【００３７】
図３に示すように、本実施形態において、中央コンピュータ装置２００は、認証モジュール２１０及び通信モジュール２３０を備える。認証モジュール２１０は、タイミングユニット２１１、位置決めユニット２１２、認証条件メモリユニット２１３、メモリメディア２１４、タッチポイント確認ユニット２１５、位置情報確認ユニット２１６、タッチポイント認証ユニット２１７、タッチポイント識別ユニット２１８、位置関係計算ユニット２１９、タッチ認証処理ユニット２２０、光信号認証ユニット２２１、コード確認ユニット２２２及びコード認証ユニット２２３を含む。以下、中央コンピュータ装置２００の内部素子の機能及び互いの接続関係を詳しく説明する。
【００３８】
ある実施形態において、通信モジュール２３０は、認証装置１００からの認証（ａｕｔｈｅｎｔｉｃａｔｉｏｎ）要求、検証（ｖｅｒｉｆｉｃａｔｉｏｎ）要求と外部認証信号を受信するように配置される。
【００３９】
ある実施形態において、タイミングユニット２１１は、検証要求の受信に基づいて第１のタイミング時間を出力するように配置され、さらに、別の検証要求の受信に基づいて第２のタイミング時間を出力するように配置される。第１のタイミング時間と第２のタイミング時間の適用については、図４に記載のデジタル認証方法において詳しく説明する。
【００４０】
ある実施形態において、タイミングユニット２１１は、検証要求の受信に基づいて第１の位置情報を出力するように配置され、さらに、別の検証要求の受信に基づいて第２の位置情報を出力するように配置される。第１の位置情報と第２の位置情報の適用は、図４に記載のデジタル認証方法において詳しく説明される。
【００４１】
ある実施形態において、外部認証信号は、タッチパネル１０５でタッチされるＮ個のタッチポイントの構成要素値のタッチ識別情報を含んでもよい。ある実施形態において、タッチ識別情報は、Ｎ個のタッチポイントに関する順序クリック信号と位置クリック信号を含んでもよい。タッチポイント確認ユニット２１５は、タッチ識別情報に含まれる構成要素値に対応する構成要素値を確認するように配置される。位置情報確認ユニット２１６は、認証要求、検証要求と外部認証信号によって認証装置１００の位置情報を確認するように配置される。
【００４２】
ある実施形態において、タッチポイント認証ユニット２１７は、タッチ識別情報に含まれる構成要素値によってＮ個のタッチポイントの間の順序関係と相互位置関係を解読し（即ち、順序クリック信号と位置クリック信号を解読する）、認証許可情報における順序クリックルール情報及び位置クリックルール情報に基づいて解読される順序クリック信号と位置クリック信号をそれぞれ認証するように配置される。
【００４３】
ある実施形態において、タッチポイント識別ユニット２１８は、Ｎ個の分割エリアに関する分割エリア情報に基づいて構成要素値を解読し、指定エリアの指定位置に形成される指定タッチポイントを識別するように配置される。位置関係計算ユニット２１９は、識別される指定タッチポイントとＮ個の各タッチポイントの間の認証オブジェクト幾何学的位置関係を計算するように配置される。タッチ認証処理ユニット２２０は、計算される指定タッチポイントとＮ個の各タッチポイントの間の認証オブジェクト幾何学的位置関係とタッチ認証条件の幾何学的位置関係に対してコンペアマッチを行い認証するように配置される。
【００４４】
ある実施形態において、外部認証信号は、光線／色温度入力ユニット１０８を介して受信するＮ個の光信号の構成要素値の光識別情報を含んでもよい。ある実施形態において、光識別情報は、Ｎ個の光信号に関する順序明暗信号及び／又は順序色光信号を含んでもよい。
【００４５】
ある実施形態において、光信号認証ユニット２２１は、光識別情報に含まれる構成要素値によってＮ個の光信号の間の順序関係（即ち、順序明暗信号及び／又は順序色光信号）を解読し、認証許可情報における順序明暗ルール情報及び／又は順序色光ルール情報に基づいて解読される順序関係を認証するように配置される。
【００４６】
ある実施形態において、タッチ識別情報に音声又はＮＦＣによって識別される固有コード又はワンタイムコードを含むと、コード確認ユニット２２２は、タッチ識別情報に含まれる固有コード又はワンタイムコードを確認するように配置される。コード認証ユニット２２３は、タッチ認証条件によって固有コード又はワンタイムコードを認証するように配置され、タッチ認証処理ユニット２２０は、構成要素値の認証結果と固有コード又はワンタイムコードの認証結果を組み合わせ、認証結果を発生させ、発生する認証結果を構成要素値を受信するパスの反対方向に伝送する。
【００４７】
ある実施形態において、認証条件メモリユニット２１３は、生じた幾何学的位置関係、誤差情報（例えば、実際測定誤差情報又は設計上の誤差情報）及び位置エリア情報（例えば、アドレス情報、地域情報等）を含む各デジタル識別ユニット４００毎のタッチ認証条件及び各デジタル識別ユニット４００毎の一連のコードをマッピングして指定のメモリメディア（記憶メディア）２１４に記憶するように配置される。また、メモリメディア２１４には、更に、複数の場所に対応する位置決め用の位置情報、順序クリックルール情報と位置クリックルール情報を含む認証許可情報、順序明暗ルール情報及び／又は順序色光ルール情報を含む認証許可情報及び少なくとも１つの時間情報が記憶される。
【００４８】
図４を参照すると、本発明の一実施形態に係るデジタル認証方法を示すフロー図である。図４に示すように、本実施形態において、デジタル認証方法は、工程Ｓ１００〜工程Ｓ１１４を含んでもよい。以下、図１に示すデジタル認証システム３００とデジタル識別ユニット４００を合わせて、本実施形態のデジタル認証方法を例示的に説明する。
【００４９】
工程Ｓ１００において、認証プロセスが起動するかを判断する。工程Ｓ１００の判断結果がＹＥＳであると、工程Ｓ１０１を実行する。ある実施形態において、認証プロセスは、認証要求の受信に基づいて起動する。ある実施形態において、認証装置１００は、認証要求を受信すると、同期して信号返信ユニット１１０によってこの認証要求を中央コンピュータ装置２００に伝送することができる。また、認証要求は、位置決めモジュール１１２の生じる認証装置１００に関する当時の位置情報を含む。
【００５０】
工程Ｓ１０１において、認証装置１００に位置決め用の位置情報と時間情報を受信させる。ある実施形態において、中央コンピュータ装置２００が認証要求を受信すると、位置情報確認ユニット２１６によって認証要求に基づいて認証装置１００の位置情報を確認し、通信モジュール２３０を介してメモリメディア２１４の認証装置１００の位置情報に対する位置決め用の位置情報及び時間情報を認証装置１００に伝送する。
【００５１】
ある実施形態において、中央コンピュータ装置２００のメモリメディア２１４に記憶される複数の場所の位置決め用の位置情報及び時間情報が予め認証装置１００のメモリユニット１１４内に記憶されてもよいため、工程Ｓ１０１を選択的に略してもよい。
【００５２】
工程Ｓ１０２は工程Ｓ１０１の後に引き続いて実行される。工程Ｓ１０２において、デジタル識別ユニット４００が検証する必要はあるかを判断する。工程Ｓ１０２の判断結果がＹＥＳであると、工程Ｓ１０３を実行する。工程Ｓ１０２の判断結果がＮＯであると、工程Ｓ１０４を実行する。
【００５３】
ある実施形態において、工程Ｓ１０２を選択的に略してもよい。このため、ある実施形態において、工程Ｓ１００又は工程Ｓ１０１（あれば）の後に直接工程Ｓ１０３を実行してもよい。別の実施形態において、工程Ｓ１００又は工程Ｓ１０１（あれば）の後にも直接工程Ｓ１０４を実行してもよい。
【００５４】
工程Ｓ１０３において、第１のタイミング時間が時間情報に合致し及び／又は第１の位置情報が位置決め用の位置情報に合致するかを判断する。工程Ｓ１０３の判断結果がＹＥＳであると、工程Ｓ１０４を実行する。工程Ｓ１０３の判断結果がＮＯであると、再び工程Ｓ１００を実行する。
【００５５】
ある実施形態において、認証モジュール２１０のタイミングユニット２１１は、検証要求の受信に基づいて第１のタイミング時間を出力し、通信モジュール２３０を介してこの第１のタイミング時間を認証装置１００に伝送するように配置される。ある実施形態において、第１のタイミング時間が時間情報に合致すると、工程Ｓ１０４は実行される。例として、時間情報に記憶される情報は、中央コンピュータ装置２００が認証要求を受信する時間点の後の所定の時間点であり、第１のタイミング時間は、中央コンピュータ装置２００が検証要求を受信する時間点である。この時間点が所定の時間点を超えないと、第１のタイミング時間が時間情報に合致することを示す。この時間点が所定の時間点を超えると、第１のタイミング時間が時間情報に合致しないことを示す。これによって、本実施形態のデジタル認証方法は、認証装置１００が認証要求を受信した後の所定の時間内に検証要求を受信しなければ、引き続いて後の信号識別モジュールを起動させるプロセス（即ち、工程Ｓ１０４）を実行することができないことを限定するため、時間面でデジタル識別ユニットの使用セキュリティを効果的に管理することができる。
【００５６】
ある実施形態において、認証モジュール２１０の位置決めユニット２１２は、検証要求の受信に基づいて第１の位置情報を出力し、通信モジュール２３０を介してこの第１の位置情報を認証装置１００に伝送するように配置される。ある実施形態において、第１の位置情報が位置決め用の位置情報に合致すると、工程Ｓ１０４は実行される。例として、位置決め用の位置情報に記憶される情報は、認証要求に対応する所定の場所範囲であり、第１の位置情報は、認証装置１００が中央コンピュータ装置２００で検証要求を受信する時の場所である。この場所が所定の場所範囲内にあると、第１の位置情報が位置決め用の位置情報に合致することを示す。この地間点が所定の場所範囲外にあると、第１の位置情報が位置決め用の位置情報に合致しないことを示す。これによって、本実施形態のデジタル認証方法は、認証装置１００が認証要求を受信した後の所定の位置決め用の位置の範囲内に検証要求を受信しなければ、引き続いて後の信号識別モジュールを起動させるプロセス（即ち、工程Ｓ１０４）を実行することができないことを限定するため、場所の点でデジタル識別ユニットの使用セキュリティを効果的に管理することができる。
【００５７】
ある実施形態において、第１のタイミング時間と第１の位置情報がそれぞれ時間情報と位置決め用の位置情報に合致しなければ、工程Ｓ１０４は実行されない。これによって、本実施形態のデジタル認証方法は、認証装置１００が認証要求を受信した後の所定の時間内と所定の位置決め用の位置の範囲内に検証要求を受信しなければ、引き続いて後の信号識別モジュールを起動させるプロセス（即ち、工程Ｓ１０４）を実行することができないことを限定するため、時間面と場所の点でデジタル識別ユニットの使用セキュリティを効果的に管理することができる。
【００５８】
ある実施形態において、工程Ｓ１０３を選択的に略してもよい。ある実施形態において、工程Ｓ１００、工程Ｓ１０１（あれば）又は工程Ｓ１０２（あれば）の後に直接工程Ｓ１０４を実行してもよい。
【００５９】
工程Ｓ１０４において、信号識別モジュールを起動させる。ある実施形態において、認証装置１００の起動は、処理ユニット１０１によって信号識別モジュールを起動させる。前記のように、認証装置１００の信号識別モジュールは、キーボード入力ユニット１０２、音声入力ユニット１０７、光線／色温度入力ユニット１０８を含む光信号受信モジュール又はタッチパネル１０５とタッチ入力ユニット１０４からなるタッチ識別モジュールであってもよい。
【００６０】
工程Ｓ１０５は、工程Ｓ１０４の後に引き続いて実行される。工程Ｓ１０５において、信号識別モジュールに外部認証信号を受信させる。
【００６１】
工程Ｓ１０６は、工程Ｓ１０５の後に引き続いて実行される。工程Ｓ１０６において、デジタル識別ユニット４００が検証する必要はあるかを判断する。工程Ｓ１０６の判断結果がＹＥＳであると、工程Ｓ１０７を実行する。工程Ｓ１０６の判断結果がＮＯであると、工程Ｓ１０８を実行する。
【００６２】
ある実施形態において、工程Ｓ１０６を選択的に略してもよい。このため、ある実施形態において、工程Ｓ１０５の後に直接工程Ｓ１０７を実行してもよい。別の実施形態において、工程Ｓ１０５の後にも直接工程Ｓ１０８を実行してもよい。
【００６３】
工程Ｓ１０７において、第２のタイミング時間が時間情報に合致し及び／又は第２の位置情報が位置決め用の位置情報に合致するかを判断する。工程Ｓ１０７の判断結果がＹＥＳであると、工程Ｓ１０８を実行する。工程Ｓ１０７の判断結果がＮＯであると、工程Ｓ１１２を実行する。
【００６４】
ある実施形態において、認証モジュール２１０のタイミングユニット２１１は、別の検証要求の受信に基づいて第２のタイミング時間を出力し、通信モジュール２３０を介してこの第２のタイミング時間を認証装置１００に伝送するように配置される。ある実施形態において、第２のタイミング時間が時間情報に合致すると、工程Ｓ１０８は実行される。例として、時間情報に記憶される情報は、中央コンピュータ装置２００が認証要求を受信する時間点後の所定の時間点であり、第２のタイミング時間は、中央コンピュータ装置２００が別の検証要求を受信する時間点である。この時間点が所定の時間点を超えないと、第２のタイミング時間は時間情報に合致することを示す。この時間点が所定の時間点を超えると、第２のタイミング時間が時間情報に合致しないことを示す。これによって、本実施形態のデジタル認証方法は、認証装置１００が認証要求を受信した後の所定の時間内に前記別の検証要求を受信しなければ、引き続いて後の外部認証信号を中央コンピュータ装置２００に返信するプロセスを実行することができないことを限定するため、時間面でデジタル識別ユニット４００の使用セキュリティを効果的に管理することができる。
【００６５】
ある実施形態において、認証モジュール２１０の位置決めユニット２１２は、別の検証要求の受信に基づいて第２の位置情報を出力し、通信モジュール２３０を介してこの第２の位置情報を認証装置１００に伝送するように配置される。ある実施形態において、第２の位置情報が位置決め用の位置情報に合致すると、工程Ｓ１０８は実行される。例として、位置決め用の位置情報に記憶される情報は、認証要求に対応する所定の場所範囲であり、第２の位置時間は、認証装置１００が中央コンピュータ装置２００で別の検証要求を受信する時の場所である。この場所が所定の場所範囲内にあると、第２のポジショニング時間は位置決め用の位置情報に合致することを示す。この地間点が所定の場所範囲外にあると、第２のポジショニング時間は位置決め用の位置情報に合致しないことを示す。これによって、本実施形態のデジタル認証方法は、認証装置１００が認証要求を受信した後の所定の位置決め用の位置の範囲内に前記別の検証要求を受信しなければ、引き続いて後の外部認証信号を中央コンピュータ装置２００に返信するプロセスを実行することができないことを限定するため、場所の点でデジタル識別ユニット４００の使用セキュリティを効果的に管理することができる。
【００６６】
ある実施形態において、第２のタイミング時間と第２の位置情報が時間情報と位置決め用の位置情報にそれぞれ合致するとだけで、工程Ｓ１０８は実行される。これによって、本実施形態のデジタル認証方法は、認証装置１００が認証要求を受信した後の所定の時間内と所定の位置決め用の位置の範囲内に前記別の検証要求を受信しなければ、引き続いて後の外部認証信号を中央コンピュータ装置２００に返信するプロセスを実行することができないことを限定するため、時間面と場所の点でデジタル識別ユニット４００の使用セキュリティを効果的に管理することができる。
【００６７】
ある実施形態において、工程Ｓ１０７を選択的に略してもよい。ある実施形態において、工程Ｓ１０５又は工程Ｓ１０６（あれば）の後に直接工程Ｓ１０８を実行してもよい。
【００６８】
工程Ｓ１０８において、信号返信ユニット１１０に外部認証信号を中央コンピュータ装置２００へ返信させる。
【００６９】
ある実施形態において、外部認証信号は、タッチパネル１０５でタッチされるＮ個のタッチポイントの構成要素値を含むタッチ識別情報、又は光線／色温度入力ユニット１０８の受信したＮ個の光信号の構成要素値を含む光識別情報を備えてもよいが、本発明はこれらに限定されない。
【００７０】
工程Ｓ１０９は、工程Ｓ１０８の後に引き続き実行される。工程Ｓ１０９において、中央コンピュータ装置２００に外部認証信号を認証させる。ある実施形態において、中央コンピュータ装置２００は、認証モジュール２１０によって外部認証信号を認証する。
【００７１】
工程Ｓ１１０は、工程Ｓ１０９の後に引き続き実行される。工程Ｓ１１０において、外部認証信号が認証許可情報に合致するかを判断する。工程Ｓ１１０の判断結果がＹＥＳであると、工程Ｓ１１１を実行する。工程Ｓ１１０の判断結果がＮＯであると、工程Ｓ１１３を実行する。
【００７２】
ある実施形態において、認証装置１００は、タッチパネル１０５とタッチ入力ユニット１０４からなるタッチ識別モジュールを信号識別モジュールとする。ある実施形態において、中央コンピュータ装置２００は、タッチポイント認証ユニット２１７によってその解読される順序クリック信号と位置クリック信号が認証許可情報における順序クリックルール情報及び位置クリックルール情報に合致するかを判断することができ、合致すると工程Ｓ１１１を引き続き実行する。
【００７３】
ある実施形態において、認証装置１００は、光線／色温度入力ユニット１０８を含む光信号受信モジュールを信号識別モジュールとする。ある実施形態において、中央コンピュータ装置２００は、光信号認証ユニット２２１によってその解読される順序明暗信号及び／又は順序色光信号が認証許可情報における順序明暗ルール情報及び／又は順序色光ルール情報に合致するかを判断することができ、合致すると工程Ｓ１１１を引き続き実行する。
【００７４】
工程Ｓ１１１において、ディスプレイに認証成功結果を表示させる。工程Ｓ１１１の後に引き続き工程Ｓ１１２を実行する。
【００７５】
ある実施形態において、順序クリック信号と位置クリック信号が認証許可情報における順序クリックルール情報及び位置クリックルール情報に合致すると、中央コンピュータ装置２００は、通信モジュール２３０によって認証確認信号を認証装置１００に伝送し、且つ認証装置１００のディスプレイに表示される認証結果が認証成功結果である。
【００７６】
ある実施形態において、順序明暗信号及び／又は順序色光信号が認証許可情報における順序明暗ルール情報及び／又は順序色光ルール情報に合致すると、中央コンピュータ装置２００は、通信モジュール２３０によって認証確認信号を認証装置１００に伝送し、且つ認証装置１００のディスプレイに表示される認証結果が認証成功結果である。
【００７７】
工程Ｓ１１２において、信号識別モジュールをオフにする。
【００７８】
工程Ｓ１１３において、ディスプレイに認証失敗結果を表示させる。
【００７９】
ある実施形態において、順序クリック信号と位置クリック信号が認証許可情報における順序クリックルール情報及び位置クリックルール情報に合致しない場合、中央コンピュータ装置２００は、通信モジュール２３０によって認証確認信号を認証装置１００に伝送し、且つ認証装置１００のディスプレイに表示される認証結果が認証失敗結果である。
【００８０】
ある実施形態において、順序明暗信号及び／又は順序色光信号が認証許可情報における順序明暗ルール情報及び／又は順序色光ルール情報に合致しない場合、中央コンピュータ装置２００は、通信モジュール２３０によって認証確認信号を認証装置１００に伝送し、且つ認証装置１００のディスプレイに表示される認証結果が認証失敗結果である。
【００８１】
工程Ｓ１１４は、工程Ｓ１１３の後に引き続き実行される。工程Ｓ１１４において、リサンプリングするかを判断する。工程Ｓ１１４の判断結果がＹＥＳであると、再び工程Ｓ１０５を実行する。工程Ｓ１１４の判断結果がＮＯであると、工程Ｓ１１２を実行する。
【００８２】
図５を参照すると、本発明の別の実施形態に係るデジタル認証方法を示すフロー図である。本実施形態のデジタル認証方法は、本実施形態のデジタル認証方法において工程Ｓ２０８と工程Ｓ２０９でそれぞれ工程Ｓ１０８と工程Ｓ１０９を取り替わることに図４に示す実施形態のデジタル認証方法と異なるが、他の同じ工程の関連説明については、前文を参照してよいので、ここで説明しない。以下、工程Ｓ２０８と工程Ｓ２０９で本実施形態のデジタル認証方法を説明する。
【００８３】
工程Ｓ２０８において、認証装置１００に中央コンピュータ装置２００からの認証許可情報を受信させる。ある実施形態において、認証装置１００は、そのメモリユニット１１４によって前記通信モジュール２３０から伝送される前記認証許可情報を受信し記憶する。つまり、認証装置１００は、そのメモリユニット１１４を認証ルールメモリユニットとすることができる。
【００８４】
工程Ｓ２０９において、認証装置１００に外部認証信号を認証させる。ある実施形態において、認証装置１００は、その処理ユニット１０１によって外部認証信号が認証許可情報に合致するかを判断することができる。つまり、認証装置１００は、その処理ユニット１０１を認証プロセッサーとすることができる。
【００８５】
上記の本発明の具体的な実施形態の説明から明らかに分かるように、本発明のデジタル認証システムにおいて、認証装置は、検証要求を受信する時に、中央コンピュータ装置の出力した第１のタイミング時間が時間情報に合致するか、及び／又は中央コンピュータ装置の出力した第１の位置情報が位置決め用の位置情報に合致するかを確認することで、信号識別モジュールを起動させるかを判断することができる。そして、認証装置は、更に外部認証信号を受信する時に、中央コンピュータ装置の出力した第２のタイミング時間が時間情報に合致するか、及び／又は中央コンピュータ装置の出力した第２の位置情報が位置決め用の位置情報に合致するかを確認することで、認証許可を中央コンピュータ装置に返信するかを判断することができる。これによって、本発明のデジタル認証システムは、時間面及び／又は場所の点でデジタル識別ユニットの使用セキュリティを効果的に管理し記録することができる。
【００８６】
本発明の実施形態を前述の通りに開示したが、これは、本発明を限定するものではなく、当業者であれば、本発明の精神と範囲から逸脱しない限り、多様の変更や修飾を加えてもよく、したがって、本発明の保護範囲は、後の特許請求の範囲で指定した内容を基準とするものである。
【符号の説明】
【００８７】
１００  認証装置
１０１  処理ユニット
１０２  キーボード入力ユニット
１０３  画面出力ユニット
１０４  タッチ入力ユニット
１０５  タッチパネル
１０６  音声出力ユニット
１０７  音声入力ユニット
１０８  光線／色温度入力ユニット
１０９  近接無線通信ユニット
１１０  信号返信ユニット
１１１  ＮＦＣモジュール
１１２  位置決めモジュール
１１３  ＵＳＩＭカードリーダーユニット
１１４  メモリユニット
１１５  電池
２００  中央コンピュータ装置
２１０  認証モジュール
２１１  タイミングユニット
２１２  位置決めユニット
２１３  認証条件メモリユニット
２１４  メモリメディア
２１５  タッチポイント確認ユニット
２１６  位置情報確認ユニット
２１７  タッチポイント認証ユニット
２１８  タッチポイント識別ユニット
２１９  位置関係計算ユニット
２２０  タッチ認証処理ユニット
２２１  光信号認証ユニット
２２２  コード確認ユニット
２２３  コード認証ユニット
２３０  通信モジュール
３００  デジタル認証システム
４００  デジタル識別ユニット
Ｓ１００〜Ｓ２０９  工程
【図１】
2019028977.tif 000003
【図２】
2019028977.tif 000004
【図３】
2019028977.tif 000005
【図４】
2019028977.tif 000006
【図５】
2019028977.tif 000007